(57)【要約】【課題】  モーアで刈取った草を回収する集草装置を乗用走行機体の後部に配備した乗用型草刈り機において、部材の兼用化によって集草装置全体のコスト低減を図る。【解決手段】  乗用走行機体の後部に転倒保護フレーム１０を立設するとともに、モーアから送出されてきた刈草を回収する集草装置８の構成部材を転倒保護フレーム１０に支持してある。転倒保護フレーム１０は、機体に固定された下部フレーム部分１０ａ、この下部フレーム部分１０ａの上端部に前方に折込み回動可能に連結された中間フレーム部分１０ｂ、および、中間フレーム部分１０ｂの上端部に後方に折込み回動可能に連結された上部フレーム部分１０ｃとで構成され、中間フレーム部分１０ｂに案内カバー３３が支持されるとともに、案内カバー３３の上に上部フレーム部分１０ｃが折込み回動可能に構成される。【選択図】        図１０
2005278574.tif 000002
【特許請求の範囲】
【請求項１】
乗用走行機体の後部に転倒保護フレームを立設するとともに、モーアから送出されてきた刈草を回収する集草装置の構成部材を前記転倒保護フレームに支持してあることを特徴とする乗用型草刈り機。
【請求項２】
前記集草装置の構成部材として、上向きに開口された集草容器と、これを上方から覆う案内カバーとを備え、前記集草容器および案内カバーをそれぞれ前記転倒保護フレームに支持してあることを特徴とする請求項１記載の乗用型草刈り機。
【請求項３】
前記集草装置の構成部材として、上向きに開口された集草容器と、これを上方から覆う案内カバーとを備え、前記案内カバーを前記転倒保護フレームに支持するとともに、モーアから導出された刈草搬送用のダクトを前記案内カバーに接続支持し、前記集草容器を転倒保護フレームと機体固定部に亘って支持してあることを特徴とする請求項１記載の乗用型草刈り機。
【請求項４】
前記転倒保護フレームにおける上側のフレーム部分を前方に折込み回動可能に構成し、転倒保護フレームの固定された下側のフレーム部分に前記集草容器を支持するとともに、前記上側のフレーム部分に前記案内カバーを支持してあることを特徴とする請求項２記載の乗用型草刈り機。
【請求項５】
前記転倒保護フレームを、機体に固定された下部フレーム部分、この下部フレーム部分の上端部に前方に折込み回動可能に連結された中間フレーム部分、および、前記中間フレーム部分の上端部に後方に折込み回動可能に連結された上部フレーム部分とで構成し、前記中間フレーム部分に前記案内カバーを支持するとともに、下部フレーム部分に集草容器を支持し、かつ、中間フレーム部分に支持された案内カバーの上に上部フレーム部分を折込み回動可能に構成してあることを特徴とする請求項２記載の乗用型草刈り機。
【請求項６】
前記案内カバーの上面に、後方に折込み回動された上部フレーム部分が係入する凹部を形成してあることを特徴とする請求項５記載の乗用型草刈り機。
【発明の詳細な説明】
【技術分野】
【０００１】
本発明は、モーアで刈取った草を回収する集草装置を乗用走行機体の後部に配備した乗用型草刈り機に関する。
【背景技術】
【０００２】
集草装置を乗用走行機体の後部に配備した乗用型草刈り機としては、上向きに開口したバッグ状の集草容器を走行機体から立設した集草フレームに吊り下げ支持するとともに、この集草容器を上方から覆う案内カバーに、モーアから導出された刈草搬送用のダクトを接続したものが知られている（例えば、特許文献１参照）。
【特許文献１】米国特許第４７２３３９８号明細書
【発明の開示】
【発明が解決しようとする課題】
【０００３】
上記構成の乗用型草刈り機においては、走行機体に剛性の高い専用の集草フレームを立設する必要があるために、集草フレームを含めた集草装置全体がコスト高になる問題があった。特に、集めた刈草の排出頻度を少なくして作業能率を高めるために、集草装置の集草容量を大きくすると、集草フレームを一層剛性の高いものに構成する必要があり、上記問題がさらに大きくなるものであった。
【０００４】
本発明は、このような点に着目してなされたものであって、部材の兼用化によって集草装置全体のコスト低減を図ることを主たる目的としている。
【課題を解決するための手段】
【０００５】
第１の発明に係る乗用型草刈り機は、乗用走行機体の後部に転倒保護フレームを立設するとともに、モーアから送出されてきた刈草を回収する集草装置の構成部材を前記転倒保護フレームに支持してあることを特徴とする。
【０００６】
上記構成によると、転倒保護フレームは、走行機体が万一横転しても走行機体がローリングして下向きにならないように接地支持するものであって、高い剛性をもって構成されるものであり、このような剛性の高い転倒保護フレームは、大容量の集草を行う集草装置でも強固に支持することができる。
【０００７】
従って、第１の発明によると、剛性高く設置される転倒保護フレームを集草装置支持用の集草フレームに兼用することで専用の集草フレームを不要とし、集草装置全体のコスト低減を図ることが可能となる。
【０００８】
第２の発明に係る乗用型草刈り機は、上記第１の発明において、
前記集草装置の構成部材として、上向きに開口された集草容器と、これを上方から覆う案内カバーとを備え、前記集草容器および案内カバーをそれぞれ前記転倒保護フレームに支持してあることを特徴とする。
【０００９】
上記構成によると、集草容器、案内カバー、等の集草装置を構成する部材の重量と、回収された刈草の重量が全て転倒保護フレームにかかることになるが、転倒保護フレームは本来、剛性の高い構造物であるので、集草装置支持のための特別な補強などを施さなくても、大きい荷重を確実に支持することができ、第１の発明の上記効果を有効に発揮する。
【００１０】
第３の発明に係る乗用型草刈り機は、上記第１の発明において、
前記集草装置の構成部材として、上向きに開口された集草容器と、これを上方から覆う案内カバーとを備え、前記案内カバーを前記転倒保護フレームに支持するとともに、モーアから導出された刈草搬送用のダクトを前記案内カバーに接続支持し、前記集草容器を転倒保護フレームと機体固定部に亘って支持してあることを特徴とする。
【００１１】
上記構成によると、案内カバーとダクトの重量が転倒保護フレームに支持されるのに対して、回収した刈草の重量が付加されて大きい荷重となる集草容器は転倒保護フレームのみならず機体固定部にも支持されるので、集草容器を大容量のものにすることが容易となり、第１の発明の上記効果をもたらすとともに、刈草の排出頻度少なく能率的な草刈り作業を行う草刈り機を構成するのに有効となる。
【００１２】
第４の発明に係る乗用型草刈り機は、上記第２の発明において、
前記転倒保護フレームにおける上側のフレーム部分を前方に折込み回動可能に構成し、転倒保護フレームの固定された下側のフレーム部分に前記集草容器を支持するとともに、前記上側のフレーム部分に前記案内カバーを支持してあることを特徴とする。
【００１３】
上記構成によると、集草容器を脱着操作する際に、転倒保護フレームにおける上側のフレーム部分を前方に折込み回動して案内カバーを上方に開放することになり、この場合、折込み回動させる転倒保護フレームの上側のフレーム部分をつかみ易い大型の取っ手として操作することができ、中空で持ちにくい案内カバーの開閉操作が容易となる。
【００１４】
第５の発明に係る乗用型草刈り機は、上記第２の発明において、
前記転倒保護フレームを、機体に固定された下部フレーム部分、この下部フレーム部分の上端部に前方に折込み回動可能に連結された中間フレーム部分、および、前記中間フレーム部分の上端部に後方に折込み回動可能に連結された上部フレーム部分とで構成し、前記中間フレーム部分に前記案内カバーを支持するとともに、下部フレーム部分に集草容器を支持し、かつ、中間フレーム部分に支持された案内カバーの上に上部フレーム部分を折込み回動可能に構成してあることを特徴とする。
【００１５】
上記構成によると、集草容器を脱着操作する際には、転倒保護フレームにおける上部フレーム部分と中間フレーム部分とを一体化した上半のフレーム部分を下部フレーム部分に対して前方に折込み回動して案内カバーを上方に開放することになり、この場合、折込み回動させる上半のフレーム部分をつかみ易い大型の取っ手として操作することができ、中空で持ちにくい案内カバーの開閉操作が容易となる。
【００１６】
また、転倒保護フレームの上部フレーム部分だけを後方に折り込み回動することで、転倒保護フレームを低くし、枝の張り出た樹木の下に機体をもぐり込ませて樹木の根元周りの草刈りを容易に行うことができる。
【００１７】
第６の発明に係る乗用型草刈り機は、上記第５の発明において、
前記案内カバーの上面に、後方に折込み回動された上部フレーム部分が係入する凹部を形成してあることを特徴とする。
【００１８】
上記構成によると、転倒保護フレームの上部フレーム部分だけを後方に折り込み回動させる場合に、後方に回倒された上部フレーム部分が案内カバーに形成された凹部に係入される分、上部フレーム部分を低くなるまで大きく回倒することができ、枝が低く張り出ている樹木の根元周りの草刈りを行うのに便利なものとなる。
【発明を実施するための最良の形態】
【００１９】
以下、本発明の実施例を図面に基づいて説明する。
【００２０】
図１に、本発明に係る乗用型草刈り機の全体側面が、また、図２にその平面がそれぞれ示されている。この乗用型草刈り機は、キャスタ輪に構成された左右一対の前輪１と駆動される左右一対の後輪２を備えた走行機体３における前後輪間の下部に、前リンク４ａ、後リンク４ｂ、および、下部連結リンク４ｃとからなる左右一対の四連リンク構造のリンク機構４を介してモーアＭが昇降自在に吊り下げ支持された構造となっており、リンク機構４を油圧シリンダ５によって昇降作動させることで、モーアＭを略平行に昇降することができるよう構成されている。走行機体３の後部にはエンジン６を収容した原動部７が後輪２より後方に突出して配備され、この原動部７の前部に運転座席９が配備されるとともに、運転座席９と原動部７の間に門形の転倒保護フレーム（ＲＯＰＳ）１０が立設され、この転倒保護フレーム１０を利用して刈草回収用の集草装置８が装備されている。
【００２１】
図１および図３に示すように、前記エンジン６の出力はカウンターケース１１に入力されて走行系と作業系とに分岐され、走行系の動力はカウンターケース１１の左右両側に配備された左右一対の油圧式の無段変速装置（ＨＳＴ）７０のポンプ７０Ｐにそれぞれ入力され、各無段変速装置７０のモータ部７０Ｍからの変速出力がそれぞれ減速ケース１２を介して左右後輪２の車軸７１に各別に伝達されるようになっている。そして、左右の後輪２を駆動する無段変速装置７０は、運転座席９の左右両脇に前後揺動操作可能に配備された左右一対の走行レバー１３を各別に変速操作することで、左右の後輪２をそれぞれ独立して無段階に前後進変速するよう構成されており、左右の走行レバー１３の操作具合によって直進前後進、左右後輪２に速度差をつけての旋回、一方の後輪２を停止させてのピボットターン、および、左右後輪２を互いに逆駆動してのスピンターン、等を任意に行うことができるようになっている。また、分岐された作業系の動力は、カウンターケース１１の前面下部に突設されたＰＴＯ軸１４から前方に向けて出力され、モーアＭに軸伝達されるようになっている。
【００２２】
なお、前記カウンターケース１１の上部には、前記油圧シリンダへの圧油給排を司る切換えバルブ７２が装備されている。この切換えバルブ７２は、図４（イ）に示すように、スプール７３を縦軸心周りに回動させて流路を切換えるロータリ式に構成されており、下部が小径の段付きに構成された前記スプール７３を段付きの装着孔７４に上方から嵌入するよう構成することで、図４（ロ）に示すように、大径部と小径部とにＯリング７５およびシールリング７６を嵌めつけた状態でスプール７３を装着孔７４に上端開口部から挿入してゆく際に、スプール７３の小径部に嵌着されたシールリング７６を装着孔７４の上端開口に引っ掛けることなく円滑に組付けることができるようになっている。なお、スプール７３が段付きになると内部油圧によってスプール７３に上向きのスラスト力を作用するが、スプール下端部に装着したベアリング７８でそのスラスト力を受けることで、スプール７３を軽く回転操作できるようになっている。この場合、図５に示すように、前記ベアリング７８をケース内に没入させて組付けることもできる。
【００２３】
図６に示すように、前記モーアＭは、下向きに開放されたデッキ１５の内部に、縦軸心周りに同方向に回転駆動される３枚のバーブレード１６，１７，１８が左右に並んで軸支された構造となっており、デッキ１５は天板高さが全体的に同高さに設定されたフラットデッキに構成されるとともに、その右端部には刈草排出口が形成されている。
【００２４】
そして、前記ＰＴＯ軸１４から取り出された作業用動力が、デッキ１５の中央上面に配備されたベベルギヤケース１９に、屈曲および伸縮可能な軸伝達機構２０を介して伝達され、ベベルギヤケース１９で縦軸回転に変換された回転動力が中央のバーブレード１７の回転軸１７ａに伝達されるとともに、この回転軸１７ａと左右のバーブレード１６，１８の回転軸１６ａ，１８ａとがベルト２１によって巻き掛け連動され、各回転ブレード１６，１７，１８における回転軌跡の前半部が刈草排出口側（右方）に向かうように、全回転ブレード１６，１７，１８が同方向（上面視で時計回り方向）に回転駆動されるようになっている。なお、デッキ１５の周囲には障害物乗り越え用の遊転輪（アンチスキャルプローラ）２２が配備されている。
【００２５】
モーアＭにおけるデッキ１５の右端部には、刈草排出口から排出される刈草を機体後部の集草装置８に向けて強制搬送するためのブロアＢが脱着自在に装着されている。このブロアＢは、ケーシング２３に縦軸心周りに回転自在に内装した回転羽根２４の回転軸２５と、右側の回転ブレード１８の回転軸１８ａとを、テンションクラッチ付きの第１ベルト伝動機構２６および自動テンション付きの第２ベルト伝動機構２７を介して連動連結して構成されており、前記ケーシング２３に刈草搬送用のダクト２８の前端が差し込み連結されている。
【００２６】
集草装置８は、前記ダクト２８を介して案内揚送されてきた刈草を前記原動部７の左右に装着した２つの集草容器３０に回収するよう構成されたものであり、以下のようにして前記転倒保護フレーム１０に支持されている。
【００２７】
前記転倒保護フレーム１０は、機体フレームの左右に立設された下部フレーム部分１０ａと、その上端に支点ｐ1周りに前方へのみ回倒可能に枢支連結された門形の上側フレーム部分１０Ｕとで構成されるとともに、上側フレーム部分１０Ｕは、左右の中間フレーム部分１０ｂと、さらにその上端に支点ｐ2周り後方へのみ回倒可能に枢支連結された門形の上部フレーム部分１０ｃとで構成されており、下部間フレーム部分１０ａに容器支持枠３１が取付け固定されている、
【００２８】
前記容器支持枠３１は、横フレーム部３１ａから４本の容器支持アーム３１ｂが後ろ向きに延出されて構成されており、左右一対づつの容器支持アーム３１ｂにそれぞれ集草容器３０の上端口縁が受止め支持され、左右の集草容器３０の上部に樹脂製の案内カバー３３が被さるようになっている。
【００２９】
前記集草容器３０は通気性の高い布材で角形袋状に縫製されており、その上端開口縁に沿って金属棒からなる芯枠３４を挿通して容器口縁を矩形に保持するよう構成されている。
【００３０】
前記案内カバー３３は、左右の集草容器３０の上端開口を一連に覆う横幅と前後幅を有し、全体的に下向きに開放された形状に成形されており、前記転倒保護フレーム１０の中間フレーム部分１０ｂに取付け固定されている。
【００３１】
図８に示すように、左右一対の集草容器３０を装着する２本づつの容器支持アーム３１ｂは、原動部７におけるエンジンボンネット４１より少し高い位置に配備されており、このエンジンボンネット４１に被さるように内側２本の容器支持アーム３１ｂに亘って底板４２が架設されている。この底板４２は、案内カバー３３が降ろされた状態において、案内カバー３３の内部に左右の容器装着箇所の上部空間をつなぐトンネル通路４３を形成するものであり、ダクト２８を介して案内カバー３３の右側に投入された刈草が案内カバー３３で案内されて左右の集草容器３０に導かれるようになっている。なお、案内カバー３３の内部に吹き込まれた刈草搬送風は、案内カバー３３の後半部内面に形成されたメッシュ状の排風口４４から排風路４５に抜き出されて後部下方に排出されるようになっている。
【００３２】
そして、図１０（イ）に示すように、上側フレーム部分１０Ｕを支点ｐ1を中心にして前方に回動することで、この上側フレーム部分１０Ｕに連結された案内カバー３３を大きく上方に開放することができ、集草容器３０を脱着することができる。
【００３３】
また、図１０（ロ）に示すように、転倒保護フレーム１０における上側フレーム部分１０Ｕの上部フレーム部分１０ｃだけを支点ｐ2を中心にして後方に折り込むことで、枝の張り出た樹木の下に機体を乗り入れて樹木の根元周りの草刈を行うことができる。ここで、案内カバー３３の上部には、後方に回倒された上部フレーム部分１０ｃが係入する凹部３３ａが形成されており、これによって上部フレーム部分１０ｃを大きく回倒して、転倒保護フレーム１０を低く折り込むことができるようになっている。
【００３４】
〔別実施例〕
【００３５】
（１）樹木の下での草刈を行わない仕様の機種では、図１１に示すように、転倒保護フレーム１０における上側フレーム部分１０Ｕを上下に分割しない一体構造とし、この上側フレーム部分１０Ｕに案内カバー３３を取付けた形態で実施することもできる。
【００３６】
（２）図１２に示すように、横フレーム部３１ａおよび容器支持アーム３１ｂを備えた前記容器支持枠３１を、転倒保護フレーム１０の下部フレーム部分１０ａに連結支持するとともに、エンジン搭載フレーム２９から立設したステー３２で補強支持するように構成すれば、一層容量の大きい集草容器３０を支持することが可能となる。
【図面の簡単な説明】
【００３７】
【図１】乗用型草刈り機の全体側面図
【図２】乗用型草刈り機の全体平面図
【図３】伝動部の一部切欠き背面図
【図４】切換えバルブの縦断面図（イ）とその分解縦断面図（ロ）
【図５】別実施例の切換えバルブを示す縦断面図
【図６】モーアの平面図
【図７】集草装置の側面図
【図８】集草装置の縦断背面図
【図９】集草装置の集草容器支持構造を示す分解斜視図
【図１０】案内カバーを開放した集草装置の側面図（イ）と、転倒保護フレームを折り込んだ集草装置の側面図（ロ）
【図１１】別実施例の転倒保護フレームを備えた集草装置の側面図
【図１２】更に別の実施例の集草装置を備えた乗用型草刈り機の全体側面図
【符号の説明】
【００３８】
３                乗用走行車体
８                集草装置
１０              転倒保護フレーム
１０Ｕ            上側フレーム部分
１０ａ            下部フレーム部分
１０ｂ            中間フレーム部分
１０ｃ            上部フレーム部分
２８              ダクト
３０              集草容器
３３              案内カバー
３３ａ            凹部
Ｍ                モーア
【図１】
2005278574.tif 000003
【図２】
2005278574.tif 000004
【図３】
2005278574.tif 000005
【図４】
2005278574.tif 000006
【図５】
2005278574.tif 000007
【図６】
2005278574.tif 000008
【図７】
2005278574.tif 000009
【図８】
2005278574.tif 000010
【図９】
2005278574.tif 000011
【図１０】
2005278574.tif 000012
【図１１】
2005278574.tif 000013
【図１２】
2005278574.tif 000014